(57)【要約】【課題】中綴じ形式の原稿の読取画像から当該原稿と実質上同一の複写物を容易に得る。【解決手段】画像処理装置１０は、中綴じ形式の原稿の画像を読み取って画像データを取得する読取部３と、当該画像データを記憶する第１記憶部１３と、原稿の綴じ代部の位置と、原稿を構成する各シートの一方の面において綴じ代部によって仕切られた２つのページにおけるページ番号の大小、又は原稿のシート束の綴じ代部によって仕切られた一方の側におけるページ番号の昇順若しくは降順と、原稿の読取開始面と、を指定する操作を受け付ける操作表示部４と、その指定された情報に基づいて原稿の１ページに相当する画像範囲を決定し、当該画像データをページ毎に分割して第１記憶部１３に再度記憶させ、ページ毎に分割された各画像データに対し原稿のページ順に対応する識別子を付与する処理を行う制御部１１と、を備える。【選択図】図２
2008271105.tif 000002
【特許請求の範囲】
【請求項１】
複数のシートから構成され、各シートを二分する線に沿って綴じ代部が設けられた冊子状の原稿の画像を読み取り、画像データを取得する読取部と、
前記読取部により取得された画像データを記憶する記憶部と、
前記原稿の前記綴じ代部の位置と、前記原稿を構成する各シートの一方の面において前記綴じ代部によって仕切られた２つのページにおけるページ番号の大小、又は前記原稿のシート束の前記綴じ代部によって仕切られた一方の側におけるページ番号の昇順若しくは降順と、前記各シートの面のうち読み取りが開始される面と、を指定する操作を受け付ける操作部と、
前記操作部を介して指定された情報に基づいて、前記原稿の１ページに相当する画像範囲を決定し、当該画像範囲に基づいて前記記憶部に記憶された画像データをページ毎に分割して前記記憶部に再度記憶させ、ページ毎に分割された各画像データに対し前記原稿のページ順に対応する識別子を付与する処理を行う制御部と、
を備えた画像処理装置。
【請求項２】
複数のシートから構成され、各シートを二分する線に沿って綴じ代部が設けられた冊子状の原稿の画像を読み取り、画像データを取得する読取部と、
前記読取部により取得された画像データを記憶する第１記憶部と、
前記原稿の前記綴じ代部の位置と、前記原稿を構成する各シートの一方の面において前記綴じ代部によって仕切られた２つのページにおけるページ番号の大小、又は前記原稿のシート束の前記綴じ代部によって仕切られた一方の側におけるページ番号の昇順若しくは降順と、前記各シートの面のうち読み取りが開始される面と、を表す設定情報を記憶する第２記憶部と、
前記第２記憶部に記憶された設定情報に基づいて、前記原稿の１ページに相当する画像範囲を決定し、当該画像範囲に基づいて前記第１記憶部に記憶された画像データをページ毎に分割して前記第１記憶部に再度記憶させ、ページ毎に分割された各画像データに対し前記原稿のページ順に対応する識別子を付与する処理を行う制御部と、
を備えた画像処理装置。
【請求項３】
前記制御部は、前記原稿の前記綴じ代部の位置に基づいて、前記画像データを基に画像が形成される用紙の一辺を当該用紙の綴じ代部として決定する請求項１又は２に記載の画像処理装置。
【請求項４】
前記操作部により、前記原稿の上下又は左右の方向が更に指定され、
前記制御部は、前記操作部により指定された情報に基づいて、前記画像データを基に画像が形成される用紙の一辺を当該用紙の綴じ代部として決定する請求項１に記載の画像処理装置。
【請求項５】
前記操作部により、前記画像データを基に画像が形成される用紙の綴じ代部の位置が更に指定され、
前記制御部は、前記操作部により指定された情報に基づいて前記用紙の一辺を当該用紙の綴じ代部として決定する請求項１に記載の画像処理装置。
【請求項６】
請求項１から５の何れか一項に記載の画像処理装置と、
前記ページ毎に分割された各画像データ及び当該各画像データに付与された識別子に基づいて、用紙に画像を形成する画像形成部と、
を備えた画像形成装置。
【請求項７】
コンピュータに、
複数のシートから構成され、各シートを二分する線に沿って綴じ代部が設けられた冊子状の原稿の画像を読み取り、画像データを取得する機能と、
前記取得された画像データを記憶部に記憶させる機能と、
前記原稿の前記綴じ代部の位置と、前記原稿を構成する各シートの一方の面において前記綴じ代部によって仕切られた２つのページにおけるページ番号の大小、又は前記原稿のシート束の前記綴じ代部によって仕切られた一方の側におけるページ番号の昇順若しくは降順と、前記各シートの面のうち読み取りが開始される面と、を指定する指定機能と、
前記指定された情報に基づいて、前記原稿の１ページに相当する画像範囲を決定し、当該画像範囲に基づいて前記記憶部に記憶された画像データをページ毎に分割して前記記憶部に再度記憶させ、ページ毎に分割された各画像データに対し前記原稿のページ順に対応する識別子を付与する処理を行う制御機能と、
を実現させるためのプログラム。
【請求項８】
コンピュータに、
複数のシートから構成され、各シートを二分する線に沿って綴じ代部が設けられた冊子状の原稿の画像を読み取り、画像データを取得する機能と、
前記取得された画像データを記憶部に記憶させる機能と、
前記原稿の前記綴じ代部の位置と、前記原稿を構成する各シートの一方の面において前記綴じ代部によって仕切られた２つのページにおけるページ番号の大小、又は前記原稿のシート束の前記綴じ代部によって仕切られた一方の側におけるページ番号の昇順若しくは降順と、前記各シートの面のうち読み取りが開始される面と、について予め設定された情報に基づいて、前記原稿の１ページに相当する画像範囲を決定し、当該画像範囲に基づいて前記記憶部に記憶された画像データをページ毎に分割して前記記憶部に再度記憶させ、ページ毎に分割された各画像データに対し前記原稿のページ順に対応する識別子を付与する処理を行う制御機能と、
を実現させるためのプログラム。
【請求項９】
前記制御機能を実現させる際、前記原稿の前記綴じ代部の位置に基づいて、前記画像データを基に画像が形成される用紙の一辺を当該用紙の綴じ代部として決定する請求項７又は８に記載のプログラム。
【請求項１０】
前記指定機能により、前記原稿の上下又は左右の方向が更に指定され、
前記制御機能を実現させる際、前記指定された情報に基づいて、前記画像データを基に画像が形成される用紙の一辺を当該用紙の綴じ代部として決定する請求項７に記載のプログラム。
【請求項１１】
前記指定機能により、前記画像データを基に画像が形成される用紙の綴じ代部の位置が更に指定され、
前記制御機能を実現させる際、前記指定された情報に基づいて前記用紙の一辺を当該用紙の綴じ代部として決定する請求項７に記載のプログラム。
【発明の詳細な説明】
【技術分野】
【０００１】
本発明は、原稿の読取画像を基に画像処理を行う画像処理装置と、当該画像処理装置を備えた画像形成装置と、当該画像処理の機能を実現させるためのプログラムに関する。
【背景技術】
【０００２】
従来、冊子状の原稿を複写し、これを冊子に仕上げる際、原稿を１ページ毎に複写（可能な場合には両面複写)して綴じる方法、又は原稿の見開き２ページの画像を１枚の用紙に複写し、これを中央で二つ折りにして綴じるなどの方法が一般的であった。
【０００３】
しかしながら、１ページ毎に複写する方法は、ユーザが原稿のページをめくり、原稿を複写機上に載置してコピーボタンを押すという作業を繰り返し行わなければならず、ユーザにとって作業が非常に煩雑なものとなる。一方、原稿の見開き２ページの画像を１枚の用紙に画像形成する方法は、複写の回数は１ページ毎に複写する場合の約半分で済むものの、複写後の用紙を二つ折りにする作業を伴う上に、仕上がった冊子は、実際の原稿のページ配置に対して、奇数ページと偶数ページの配置が１ページ分ずれることとになる。また、実質的に片面複写であるため、仕上がった冊子が原稿に比べて分厚くなるという問題がある。
【０００４】
ところで、いわゆる中綴じ形式の冊子を複写する場合、特にステープルによって中綴じが行われた冊子を複写する場合、冊子の分解及び組み直しが比較的容易であるため、容易に複写物を得ることができる。即ち、綴じ代部のステープルをはずすことによって冊子を各シートに分離し、分離された各シートを複写すればよい。
【０００５】
しかし、複写が完了した用紙を中綴じ形式の冊子に仕上げるための理想的な手段として中綴じ装置を用いることが考えられるが、一般に中綴じ装置は用途が限定的であり、高価でもあるため、中綴じ装置を備えた画像形成装置は普及していない。従って、中綴じ形式の冊子を作成するには、二つ折りにした用紙を重ねて折り目部を糊付けするか、側面からステープルで綴じるなどの作業が必要となる。しかし、このような作業は何れもユーザにとって煩雑な作業となる。また、二つ折りにした用紙の折り目部分をステープルで綴じる場合、用紙の一端部を綴じる場合に比べ、強度不足やページの不揃いなどの問題が生じやすい。
【０００６】
一方、用紙を二つ折りにせず、一端部を綴じて１シートの片面に原稿の２ページ分が複写された冊子に仕上げることも考えられる。しかし、この場合、１シートの片面の左右に複写された原稿２ページ分の内容には連続性が欠如しており、非常に使い勝手が悪いという問題がある。
【０００７】
このような問題を解決するために、特許文献１には、中綴じ形式の原稿を読み取って、ページ順に並び替えて画像形成する技術が開示されている。また、特許文献２には、様々な原稿及びそのセット状態に対して適正なページ順通りの分割コピーを可能とする技術が開示されている。また、特許文献３には、パンフレット等の製本時に原稿のページを見開きの左右どちらのページに割り付けるかを設定することで、空白ページの挿入などにより余計な手間をかけずに所望のページを特定のページに割り付けて複写物を生成する技術が開示されている。
【特許文献１】特開２００３−１９８８３２号公報
【特許文献２】特開２００５−５１３８２号公報
【特許文献３】特開２００３−２０９６８２号公報
【発明の開示】
【発明が解決しようとする課題】
【０００８】
中綴じ形式の原稿は、綴じ代部を境界としてページ順に前半部分と後半部分に区別される。しかしながら、上述の何れの特許文献に記載された技術を適用しても、原稿の綴じ代部の位置を決定し、更に綴じ代部を境界として当該原稿をページ順に前半部分と後半部分に区別することができないため、中綴じ形式の原稿の特徴を活かして複写することができない。よって、当該原稿と実質上同一の複写物を得ることができないという問題があった。
【０００９】
本発明の課題は、中綴じ形式の原稿の読み取って得られた画像データをページ毎に分割し、分割された各画像データに原稿のページ順に対応する識別子を付与することによって、当該原稿と実質上同一の複写物を容易に得ることを可能にすることである。
【課題を解決するための手段】
【００１０】
請求項１に記載の画像処理装置は、複数のシートから構成され、各シートを二分する線に沿って綴じ代部が設けられた冊子状の原稿の画像を読み取り、画像データを取得する読取部と、前記読取部により取得された画像データを記憶する記憶部と、前記原稿の前記綴じ代部の位置と、前記原稿を構成する各シートの一方の面において前記綴じ代部によって仕切られた２つのページにおけるページ番号の大小、又は前記原稿のシート束の前記綴じ代部によって仕切られた一方の側におけるページ番号の昇順若しくは降順と、前記各シートの面のうち読み取りが開始される面と、を指定する操作を受け付ける操作部と、前記操作部を介して指定された情報に基づいて、前記原稿の１ページに相当する画像範囲を決定し、当該画像範囲に基づいて前記記憶部に記憶された画像データをページ毎に分割して前記記憶部に再度記憶させ、ページ毎に分割された各画像データに対し前記原稿のページ順に対応する識別子を付与する処理を行う制御部と、を備える。
【００１１】
請求項２に記載の画像処理装置は、複数のシートから構成され、各シートを二分する線に沿って綴じ代部が設けられた冊子状の原稿の画像を読み取り、画像データを取得する読取部と、前記読取部により取得された画像データを記憶する第１記憶部と、前記原稿の前記綴じ代部の位置と、前記原稿を構成する各シートの一方の面において前記綴じ代部によって仕切られた２つのページにおけるページ番号の大小、又は前記原稿のシート束の前記綴じ代部によって仕切られた一方の側におけるページ番号の昇順若しくは降順と、前記各シートの面のうち読み取りが開始される面と、を表す設定情報を記憶する第２記憶部と、前記第２記憶部に記憶された情報に基づいて、前記原稿の１ページに相当する画像範囲を決定し、当該画像範囲に基づいて前記第１記憶部に記憶された画像データをページ毎に分割して前記第１記憶部に再度記憶させ、ページ毎に分割された各画像データに対し前記原稿のページ順に対応する識別子を付与する処理を行う制御部と、を備える。
【００１２】
請求項３に記載の発明は、請求項１又は２に記載の画像処理装置において、前記制御部は、前記原稿の前記綴じ代部の位置に基づいて、前記画像データを基に画像が形成される用紙の一辺を当該用紙の綴じ代部として決定する。
【００１３】
請求項４に記載の発明は、請求項１に記載の画像処理装置において、前記操作部により、前記原稿の上下又は左右の方向が更に指定され、前記制御部は、前記操作部により指定された情報に基づいて、前記画像データを基に画像が形成される用紙の一辺を当該用紙の綴じ代部として決定する。
【００１４】
請求項５に記載の発明は、請求項１に記載の画像処理装置において、前記操作部により、前記画像データを基に画像が形成される用紙の綴じ代部の位置が更に指定され、前記制御部は、前記操作部により指定された情報に基づいて前記用紙の一辺を当該用紙の綴じ代部として決定する。
【００１５】
請求項６に記載の画像形成装置は、請求項１から５の何れか一項に記載の画像処理装置と、前記ページ毎に分割された各画像データ及び当該各画像データに付与された識別子に基づいて、用紙に画像を形成する画像形成部と、を備える。
【００１６】
請求項７に記載の発明は、コンピュータに、複数のシートから構成され、各シートを二分する線に沿って綴じ代部が設けられた冊子状の原稿の画像を読み取り、画像データを取得する機能と、前記取得された画像データを記憶部に記憶させる機能と、前記原稿の前記綴じ代部の位置と、前記原稿を構成する各シートの一方の面において前記綴じ代部によって仕切られた２つのページにおけるページ番号の大小、又は前記原稿のシート束の前記綴じ代部によって仕切られた一方の側におけるページ番号の昇順若しくは降順と、前記各シートの面のうち読み取りが開始される面と、を指定する指定機能と、前記指定された情報に基づいて、前記原稿の１ページに相当する画像範囲を決定し、当該画像範囲に基づいて前記記憶部に記憶された画像データをページ毎に分割して前記記憶部に再度記憶させ、ページ毎に分割された各画像データに対し前記原稿のページ順に対応する識別子を付与する処理を行う制御機能と、を実現させるためのプログラムである。
【００１７】
請求項８に記載の発明は、コンピュータに、複数のシートから構成され、各シートを二分する線に沿って綴じ代部が設けられた冊子状の原稿の画像を読み取り、画像データを取得する機能と、前記取得された画像データを記憶部に記憶させる機能と、前記原稿の前記綴じ代部の位置と、前記原稿を構成する各シートの一方の面において前記綴じ代部によって仕切られた２つのページにおけるページ番号の大小、又は前記原稿のシート束の前記綴じ代部によって仕切られた一方の側におけるページ番号の昇順若しくは降順と、前記各シートの面のうち読み取りが開始される面と、について予め設定された情報に基づいて、前記原稿の１ページに相当する画像範囲を決定し、当該画像範囲に基づいて前記記憶部に記憶された画像データをページ毎に分割して前記記憶部に再度記憶させ、ページ毎に分割された各画像データに対し前記原稿のページ順に対応する識別子を付与する処理を行う制御機能と、を実現させるためのプログラムである。
【００１８】
請求項９に記載の発明は、請求項７又は８に記載のプログラムにおいて、前記制御機能を実現させる際、前記原稿の前記綴じ代部の位置に基づいて、前記画像データを基に画像が形成される用紙の一辺を当該用紙の綴じ代部として決定する。
【００１９】
請求項１０に記載の発明は、請求項７に記載のプログラムにおいて、前記指定機能により、前記原稿の上下又は左右の方向が更に指定され、前記制御機能を実現させる際、前記指定された情報に基づいて、前記画像データを基に画像が形成される用紙の一辺を当該用紙の綴じ代部として決定する。
【００２０】
請求項１１に記載の発明は、請求項７に記載のプログラムにおいて、前記指定機能により、前記画像データを基に画像が形成される用紙の綴じ代部の位置が更に指定され、前記制御機能を実現させる際、前記指定された情報に基づいて前記用紙の一辺を当該用紙の綴じ代部として決定する。
【発明の効果】
【００２１】
本発明によれば、中綴じ形式の原稿の綴じ代部の位置、ページ番号の大小、原稿の読取開始面に基づいて、原稿の読取画像をページ毎に分割し、ページ順に対応する識別子を付与することにより、当該原稿と実質上同一の複写物を容易に得ることが可能となる。
【発明を実施するための最良の形態】
【００２２】
以下、図面を参照して本発明の実施形態を説明する。
以下の実施形態では、原稿を複写した用紙の束を「用紙束」と呼び、用紙束に対しステープル処理、糊付け処理等の後処理をしたものを「複写物」と呼ぶことにする。
【００２３】
まず、本実施形態における構成を説明する。
図１に、本発明の実施形態に係る画像形成装置１の概略立断面図を示す。画像形成装置１は、図１に示すように、自動原稿送り部２、読取部３、操作表示部４、画像形成部５、給紙トレイ６、搬送部７、後処理部８により構成される。
【００２４】
自動原稿送り部２は、トレイ２ａに載置された原稿を、読取部３の原稿読取位置に自動で送る。読取部３は、スキャナ等により構成され、原稿の読取位置にある原稿に光を投射して原稿の画像を読み取り、読取画像の電子データである画像データを取得する。
【００２５】
操作表示部４は、スタートボタンや、コピー枚数等を設定する数字ボタン等の各種入力ボタン４ａと、液晶表示パネル４ｂと、により構成される。液晶表示パネル４ｂは、ＬＣＤ（Liquid Crystal Display）と、ＬＣＤを覆うように構成されたタッチパネルと、により構成される。
【００２６】
画像形成部５は、読取部３で取得された画像データに基づいて、給紙トレイ６から搬送された用紙に、電子写真方式の画像形成処理を行う。画像形成処理が施された用紙は、搬送部７によって後処理部８に搬送される。
【００２７】
後処理部８は、画像形成部５から搬送された用紙に対し、ステープル処理、パンチ処理、折り処理、糊付け処理等の各種の後処理を行う。なお、後処理部８は、画像形成装置１内に搭載してもよいし、画像形成装置１と別体の装置として設けるようにしてもよい。
【００２８】
図２に、画像形成装置１内部の主要部構成を示す。画像形成装置１は、図２に示すように、画像処理装置１０、画像形成部５、後処理部８により構成される。
【００２９】
画像処理装置１０は、図２に示すように、読取部３、操作表示部４、制御部１１、第１記憶部１３、第２記憶部１４により構成される。
【００３０】
制御部１１は、ＣＰＵ（Central Processing Unit）と、ＣＰＵによって実行される制御プログラム１２を記憶するＲＯＭ（Read Only Memory）と、ＲＡＭ（Random Access Memory）等により構成される。ＣＰＵは、ＲＯＭに記憶された制御プログラム１２をＲＡＭに展開して、この制御プログラム１２との協働によって、各種の処理を実行する。制御部１１によって実行される処理については、後に詳細に説明する。
【００３１】
第１記憶部１３は、例えば、ＤＲＡＭ（Dynamic Random Access Memory）等により構成され、読取部３により取得された画像データ、制御部１１により処理された画像データ等を記憶する。
【００３２】
第２記憶部１４は、トレイ２ａに載置される原稿に関して予め設定された情報を記憶する。この予め設定された情報には、原稿の綴じ代部の位置と、原稿を構成する各シートの一方の面において綴じ代部により仕切られた２つのページにおけるページ番号の大小、又は原稿のシート束の綴じ代部によって仕切られた一方の側におけるページ番号の昇順若しくは降順と、各シートの面のうち読み取りを開始する面と、を表す情報が含まれる。
【００３３】
図３に、本実施形態において複写対象となる中綴じ形式の冊子の原稿（以下、「中綴じ原稿」という。）の一例を示す。図３に示す中綴じ原稿は、中央に折り目部を有する複数枚（３枚）のシートから構成され、この折り目部の位置で二つ折りにして重ね、ステープル処理等を施して綴じることにより冊子として形成されたものである。
【００３４】
図４に、図３に示す中綴じ原稿の留め具（例えばステープル）をはずし、製本時に重ねられた順序で見開いた状態の各シートを示す。図４において、実線の長方形は１枚のシート原稿を示し、中央部の破線は中綴じの際の綴じ代部４０（ステープル部）を示す。また、図４においてページ番号p.1、p.2、…は、括弧がないページ番号が表側のページを表し、括弧付きのページ番号が裏側のページを表すものとする。
【００３５】
また、図４において最も手前のシートを第１シートと称し、以下、第２シート、第３シートと称する。またページ番号は、表表紙(おもてびょうし)を最先ページ（１ページ）とし、裏表紙(うらびょうし)を最終ページ（１２ページ）とする。図４から明らかなように、図４に示す原稿は、いわゆる右開き(横書き)のものである。
【００３６】
シートの各ページには文章、図等の内容が記載され、複写に際してはそれらの画像が複写の対象となる。言うまでもなく、原稿文書の構成上、空白のページもあり得るが、ここでは、空白ページも複写対象の画像とみなす。また、中綴じ原稿の見開きの両ページにわたって一つの図が描かれているような場合であっても、綴じ代部４０によって仕切られた左右の部分がそれぞれ独立したページに相当するものとみなす。
【００３７】
本実施形態において、次のような複写動作を実行する場合を考える。まず、中綴じ原稿のステープルがはずされ、原稿を構成する各シートが、中綴じ原稿と同一の順序のまま、見開いた状態で自動原稿送り部２のトレイ２ａに載置され、読取部３において各シートの表裏の画像が読み取られる。シート内の１ページに相当する画像を１枚の用紙の片面に複写する動作を、ページ順に用紙の両面に対して行うことにより、両面複写された用紙束が得られる。そして、この用紙束に対し、原稿の綴じ代部４０に対応する辺が、後処理部８によりステープル処理又は糊付けされることによって、冊子状の複写物が作成される。
【００３８】
例えば、図４に示す３枚のシートをページ順に両面複写すると、図５に示すように６枚からなる用紙束が得られる。図５においても、括弧がないページ番号が表側のページを表し、括弧付きのページ番号が裏側のページを表す。
【００３９】
次に、画像処理装置１０の制御部１１が制御プログラム１２に従って実行する処理について説明する。
【００４０】
制御部１１は、制御プログラム１２に従って、読取部３で取得される原稿の画像データを、原稿を構成する各シートの面毎に区分されたものとして第１記憶部１３に記憶させる。更に、制御部１１は、第１記憶部１３に記憶された画像データを、原稿のページに相当する複数の画像領域に分割し、当該分割された画像データをそれぞれ独立したものとして第１記憶部１３に再度記憶させる。そして、制御部１１は、分割された各画像データに、ページ順を示す識別子（ページ番号）を付与し、用紙への画像形成方法、用紙束に対する後処理の方法を決定し、画像形成部５及び後処理部８に対し制御指令信号を出力する。
【００４１】
原稿のページ順に用紙に両面複写するために、制御部１１は、原稿を構成する各シートのページ配置、ページ順に関する情報を決定する必要がある。そのために、次の[１]〜[３]に示す指定が必要となる。
【００４２】
[１]綴じ代部の位置の指定
原稿の綴じ代部の位置を指定すると、原稿の搬送方向に対して、原稿上の画像が配置されている方向（即ち、原稿の画像が原稿の搬送方向と同一方向に配置されているか、直交する方向に配置されているか）の情報が取得される。
【００４３】
原稿の綴じ代部の位置は、例えば、液晶表示パネル４ｂを用いて指定される。図６に、自動原稿送り部２のトレイ２ａに原稿５０が載置されている状態を示す。また、図７に、原稿５０の綴じ代部４０の位置を指定するために、液晶表示パネル４ｂに表示される画面４１の一例を示す。
【００４４】
図７の画面４１では、２通りの綴じ代部が指定可能となっている。原稿５０の搬送方向が画面４１の水平方向（横方向）と同一であるものと仮定すると、画面４１において、原稿５０の搬送方向と直交する方向に綴じ代部４０が形成されている場合は、〈縦〉に示す綴じ代部４４が指定され、原稿５０の搬送方向と同一方向に綴じ代部４０が形成されている場合は、〈横〉に示す綴じ代部４５が指定される。原稿５０の綴じ代部４０の位置は、液晶表示パネル４ｂに表示されたカーソルボタン４２及びEnterボタン４３を操作することによって指定される。
【００４５】
中綴じ原稿では、原稿の長辺を垂直二等分する線上に綴じ代部を設けることが一般的であるが、不定形サイズの原稿（各種パンフレット等）などでは、原稿の短辺を垂直二等分する線上に綴じ代部を設けることも考えられる。原稿の綴じ代部の位置を固定してしまうと、所望の冊子を作成することができない場合もあるため、本実施形態では原稿の綴じ代部を指定可能としている。
【００４６】
このように、原稿５０の綴じ代部４０の位置を指定することによって、１シートの片面における２つのページが接する境界線が明らかになり、１ページ相当の画像範囲を決定することができる。これにより、読取部３で取得された１シートの片面分の画像データを、２つの独立した画像データに分割することができる。
【００４７】
[２]ページ番号の大小（昇順・降順）の指定
原稿のページ番号を特定するため、次の（ａ）又は（ｂ）の何れか一方の指定を行う。即ち、（ａ）原稿の各シートの片面において、綴じ代部で仕切られた２つのページのページ番号の大小の指定（昇順であるか降順であるかの指定）、又は（ｂ）原稿のシート束の綴じ代部で仕切られた一方の側におけるページ番号が昇順であるか降順であるかの指定、の何れか一方を行う。
【００４８】
（ａ）の場合、例えば、図４に示す第２シートの表面については、綴じ代部４０の右側がp.3、左側がp.10であり、裏面については、綴じ代部４０の右側がp.4、左側がp.9である。この関係は何れのシートにおいても同じであるから、本原稿の各シートの各面において、ページ順は何れも右側から左側に向かって昇順である。よって、図４に示す原稿の場合、右側から左側に向かって昇順であることを指定する。
【００４９】
（ｂ）の場合、例えば、図４に示す第２シートの綴じ代部４０の右側においては、表面がp.3、裏面がp.4であり、昇順の配置であるが、この関係は、第１シート、第２シートにおいても同じであり、更に隣り合う第１シート、第３シートとの間でも共通である。他方、綴じ代部４０の左側の部分においては、第２シートについては、表面がp.10、裏面がp.9であり、降順の配置であるが、この関係は、第１シート、第２シートにおいても同じであり、更に隣り合う第１シート、第３シートとの間でも共通である。従って、本原稿のページ順は、綴じ代部４０の右側部分が昇順、左側部分が降順である。よって、図４に示す原稿の場合、右側部分において表面から裏面に向かう方向に昇順であることの指定をするか、又は左側部分において表面から裏面に向かう方向に降順であることを指定する。
【００５０】
[３]読取開始面の指定
上記の指定により、原稿のページ順についての相対的な大小関係は決定される。しかしながら、上記の関係だけでは、全ページのページ番号を決定することはできない。なぜなら、（ａ）の場合、例えば図４では、綴じ代部４０の右側部分全体又は左側部分全体における昇順、降順が判明しない。また（ｂ）の場合、例えば図４では、綴じ代部４０によって仕切られた右側部分全体と左側部分全体の何れが先であるか、即ち、何れが第１ページを含むかが判明しないからである。
【００５１】
そこで、これを判定可能とし、全ページのページ番号を決定するために、原稿を構成する各シートの面のうち、最先ページ及び最終ページ(p.1，p.12)を有する面、又は一つの面に連続するページ(p.6，p.7)を有する面を特定する必要がある。
【００５２】
このため、原稿を構成する各シートが読み取られる順序に対してページ番号に対応する指定を行うものとする。即ち、本実施形態では、原稿の表表紙及び裏表紙を含む面から読み取るのか、原稿の中央部に相当する見開き部分の面(ページ番号が連続する面)から読み取るのかに関する情報を操作表示部４により指定するものとする。当該指定により、図４の例では、（ａ）において、第１シートが最先ページ及び最終ページを含み、且つ綴じ代部４０によって仕切られた右側のページ番号が左側のページ番号より小さいことが判明していることから、右側が第１ページであると決定することができる。また、（ｂ）において、第１シートが最先ページ及び最終ページを含み、且つ右側部分が昇順であることから、第１シートの右側が第１ページであると決定することができる。
【００５３】
なお、ここで、全てのページ番号を決定するにあたっては、全シート数が認識されていることが必要となる。なぜなら、全シート数が不明の場合には、総ページ数の値を決定することができず、ページ番号の付与の際、総ページ数に基づく、右側から左側に切り換わる位置の判別、及び切り換わり後に付与するページ番号の決定ができないからである。この位置とは、例えば、２Ｎページの原稿では、第Ｎページと第Ｎ＋１ページの間を指す。
【００５４】
図４の例では、第３シートの裏面がこの位置に相当する。原稿画像が切り換わる位置が判別できないと、第３シートの裏面においては、右側にp.6を付与することはできるが、その後、左側がp.7であることを判定することができず、ページ番号を付与することができない。
【００５５】
しかし、この点については、一般に、例えば自動原稿読取装置では原稿載置部（本実施形態のトレイ２ａ）に原稿がなくなったことを伝達する信号が発せられ、ユーザが手作業で各面を読み取らせる場合には、操作画面等から「読み取り完了ボタン」を押すなどの操作を行うことにより、全ての原稿の読み取りが完了したことが認識されるので、これに基づいて総ページ数を決定することができる。
【００５６】
よって、［１］原稿の綴じ代部の位置の指定と、［２］ページ番号の大小（昇順・降順）の指定と、［３］読取開始面の指定と、がなされることにより、制御部１１は、読取部３で取得された原稿の画像データをページ毎に分割し、分割された各画像データに対し、原稿の画像と同一のページ番号を付与することができる。
【００５７】
次に、原稿を構成する各シートの読取順序について詳細に説明する。
各シートの読取順序は、主として自動原稿送り部２の構造によって決定され、次の２つに大別される。
[α] シートをページの並びに従って搬送する場合（シートの片面を構成する２ページのうちの一方から読み取るように搬送する場合）;
[β]シートの片面の２ページを同時にシートの上端部又は下端部から読み取るように搬送する場合．
【００５８】
[α]のように原稿を搬送する場合、図４に示すシートを読み取る順番は、自動原稿送り部２の構造又は冊子の綴じ代部を形成する装置の構造、機能等により、主に次の（Ａ）〜（Ｈ）の８通りが考えられる。
（Ａ）第１シートの画像をp.1、p.12、p.2、p.11の順で読み取り、同様の読取順序で第２シート、第３シートと読み取る場合。
（Ｂ）第１シートの画像をp.1、p.12、p.11、p.2の順で読み取り、同様の読取順序で第２シート、第３シートと読み取る場合（図８参照）。
（Ｃ）第１シートの画像をp.12、p.1、p.11、p.2の順で読み取り、同様の読取順序で第２シート、第３シートと読み取る場合。
（Ｄ）第１シートの画像をp.12、p.1、p.2、p.11の順で読み取り、同様の読取順序で第２シート、第３シートと読み取る場合。
（Ｅ）第３シートの画像をp.6、p.7、p.5、p.8の順で読み取り、同様の読取順序で第２シート、第１シートと読み取る場合。
（Ｆ）第３シートの画像をp.6、p.7、p.8、p.5の順で読み取り、同様の読取順序で第２シート、第１シートと読み取る場合。
（Ｇ）第３シートの画像をp.7、p.6、p.8、p.5の順で読み取り、同様の読取順序で第２シート、第１シートと読み取る場合。
（Ｈ）第３シートの画像をp.7、p.6、p.5、p.8の順で読み取り、同様の読取順序で第２シート、第１シートと読み取る場合。
【００５９】
（Ａ）〜（Ｈ）に示した読取順序以外に、シート毎に読取順序を変更する方法も理論的には可能であるが、実用性の観点から、汎用性はあまり高くないため、ここでの説明は割愛する。
【００６０】
（Ｂ）の読取順序の場合、図８に示すように、第１シートはまず、p.1、p.12の順番で読み取られた後、反転される。反転に伴って、読取方向についてシートの先端と後端が入れ替わるため、反転後はp.11、p.2の順番で読み取られることとなる。
【００６１】
上述の[β]のように原稿を搬送する場合、図８の第１シートはまず、p.1、p.12の面の上端部（下端部）から読み取られた後、反転される。そして、反転後、p.2、p.11の面の下端部（上端部）から読み取られることとなる。このような場合、シートの一方の面を読み取った画像と、他方の面を読み取った画像は、互いに上下が逆になっているため、ページ毎に独立した画像として分割した上で、一方の面の読み取りで得られた画像を１８０度回転させる演算を加えればよい。
【００６２】
なお、機能上の制約によって原稿の載置の仕方が一義的に決まっている画像形成装置１の場合、上述の[１]〜[３]の指定は行われない。この場合、第２記憶部１４には、原稿の綴じ代部の位置と、シートの一方の面における隣り合う２ページのページ番号の大小、又は原稿のシート束の綴じ代部によって仕切られた一方の側におけるページ番号の昇順若しくは降順と、原稿の読取開始面についての設定情報（即ち、［１］〜［３］の指定情報と同様の情報）が記憶されているので、制御部１１は、この設定情報に基づいて、ページ毎に分割された各画像データに対してページ番号を付与することになる。
【００６３】
次に、原稿のページ番号の算出方法について詳細に説明する。以下では、上述の（Ａ）の読取順序で原稿の画像を読み取る場合について説明するが、（Ｂ）〜（Ｈ）についても、（Ａ）と同様の算出方法を適用することができる。
【００６４】
（Ａ）の読取順序で原稿の画像を読み取る場合、原稿の画像は、p.1，p.12，p.2，p.11，p.3，p.10，p.4，p.9，p.5，p.8，p.6，p.7の順で第１記憶部１３に記憶される。（Ａ）の読取順序の場合、原稿の総ページ数を2nとすると、以下のページ順で読み取られる。
1，2n，2，2n-1，3，2n-2，…m，2n-m+1，…n，n+1  (m=1，2，…,n).
【００６５】
従って、Ｍ番目に読み取られる原稿の画像がＮページ（ページ番号Ｎ）に相当するとした場合、Ｎは式（１）及び式（２）のように表される。
Ｎ＝（Ｍ＋１）／２  (Ｍ：奇数)  …（１）
Ｎ＝２ｎ−（Ｍ／２−１）  (Ｍ：偶数)    …（２）
【００６６】
次に、本実施形態における動作として、図９のフローチャートを参照して、画像形成装置１において実行される画像形成処理について説明する。以下では、画像形成処理として、図３及び図４に示すような中綴じ原稿から、図５に示すような両面複写された用紙束を得て後処理を行う一連の処理について説明する。
【００６７】
本画像形成処理の開始に際し、ユーザは、中綴じ原稿の中央部のステープルをはずし、中綴じ原稿を複数のシートに分解する。そして、分解された原稿を自動原稿送り部２のトレイ２ａに載置する。
【００６８】
原稿が自動原稿送り部２のトレイ２ａに載置され、操作表示部４により原稿の両面の読み取りが指示されると、原稿が読取部３に搬送され、原稿を構成する各シートの両面の読み取りが行われ、原稿の画像データが取得される（ステップＳ１）。ステップＳ１の読み取りによって取得された画像データは、シートの面毎に識別子が付されて第１記憶部１３に記憶される（ステップＳ２）。
【００６９】
次いで、操作表示部４の液晶表示パネル４ｂに、図７に示すように、シートの綴じ代部の位置の指定を促す画面４１が表示され、液晶表示パネル４ｂ上の操作により、シートの綴じ代部の位置（隣り合うページの仕切り線）が指定される（ステップＳ３）。そして、ステップＳ３で指定された綴じ代部の位置に基づいて、１ページ相当の画像範囲が決定される（ステップＳ４）。
【００７０】
次いで、操作表示部４の操作により、各シートの片面を構成する隣り合う２つのページのページ番号の大小（昇順又は降順）、又は原稿のシート束の綴じ代部によって仕切られた一方の側におけるページ番号の昇順若しくは降順が指定される（ステップＳ５）。
【００７１】
次いで、操作表示部４の操作により、原稿の読み取りを開始する面が指定される（ステップＳ６）。ステップＳ６では、具体的に、原稿の何れの面から読取っているか、即ち、表表紙・裏表紙の面から読取っているのか、原稿の中央部に相当する見開き部分の面（ページ番号が連続する面）から読取っているのかの情報が指定される。
【００７２】
次いで、ステップＳ４で決定された１ページ相当の画像範囲に基づいて、第１記憶部１３に記憶されたシートの面毎の画像データがページ毎に分割され、分割された各画像データが個別に読み出せる形態で第１記憶部１３に記憶される（ステップＳ７）。
【００７３】
そして、ステップＳ３、Ｓ５及びＳ６の指定に基づいて、分割された各画像データに対して、綴じ代部となる辺及びページ番号が決定され、各画像データに、綴じ代部に相当する辺を表す識別子と、実際の原稿のページ番号に対応する識別子が付与される（ステップＳ８）。
【００７４】
例えば、ステップＳ６の指定により、原稿の読取順が上述の（Ａ）となった場合、ステップＳ８では、式（１）及び式（２）の算出式に従ってページ番号が決定される。また、用紙の４つの辺のうち、ステップＳ３で指定された原稿の綴じ代部（ページの仕切り線）に対応する辺が用紙の綴じ代部として決定される。
【００７５】
ステップＳ８が終了すると、画像形成部５において、用紙の片面に原稿の１ページが対応するように、ページ毎に分割された各画像データの画像が、各画像データに付与されたページ番号に従ってページ順に用紙の両面に形成される（ステップＳ９）。
【００７６】
後処理部８では、ステップＳ９の画像形成によって得られた用紙束の綴じ代部に対し、ステープル処理、糊付け処理等の後処理が施され（ステップＳ１０）、本画像形成処理が終了する。
【００７７】
ステップＳ１０の後処理は、ステープル、糊付け等の処理が施される位置と、原稿の綴じ代部に相当する辺が一致するように行われる。図５に示すような用紙束が得られた場合、各用紙の左辺（図４の綴じ代部４０に相当する辺）が綴じ代部となりステープル処理等が施される。
【００７８】
なお、図９のフローチャートでは、読取部３で原稿の読み取り後に、ステップＳ３、Ｓ５及びＳ６の指定を行う場合を示したが、これらの指定の後に原稿の読み取りを行うようにしてもよい。
【００７９】
また、機能上の制約によって、原稿の載置の仕方が一義的に決まっている画像形成装置１の場合、図９のステップＳ３、Ｓ５及びＳ６における指定操作は行われず、第２記憶部１４に記憶された設定情報に基づいてステップＳ４、Ｓ７及びＳ８の処理が行われる。
【００８０】
このような制約がある画像形成装置１の場合、トレイ２ａへの原稿の載置の仕方は、第２記憶部１４に記憶された設定情報に対応している必要がある。例えば、原稿の搬送方向と読取方向が直交し、読取部３による原稿の読取ラインの一つを、原稿上の画像を分割するための仕切り線として用いる装置の場合、中綴じ原稿の綴じ代部が読取ラインの方向と一致するように（原稿の搬送方向と直交するように）原稿を載置する必要がある。また、表表紙・裏表紙の面（図４の第１シートのp.1とp.12の面）から原稿を読み取るように設定されている場合、この面から読み取りが開始されるように原稿を載置する必要がある。
【００８１】
ところで、上述の本実施形態では、原稿がいわゆる右開き(横書き)であるのものとして説明したが、制御部１１は、実際、複写対象の原稿が右開きであり、例えば、図４においてシートの上端がページの上部と一致することについての情報を取得していない。即ち、原稿が左開きの縦書きの文書（図４のp.1において左下から右上に向かって縦書きの文書が上下逆に画像形成されたもの）であったとしても、用紙束のページ順や、綴じ代部に相当する辺の位置については、原稿と同一の条件が保たれるため、正しい冊子状の複写物が得られる。
【００８２】
例えば、後処理部８において、正位置に置かれた用紙束のp.1に対して左上１箇所のみをステープル３０で綴じる場合、原稿が右開きであれば、図１０のように正しい状態で後処理がなされる。しかし、左開きの冊子としては、図１１のように、右下１箇所にステープル処理が施されたものとなるため、実際の使用上、甚だ不便である。
【００８３】
このような問題を解決するため、用紙を排出するときの表裏の方向及び順序を変更した上で、左上１箇所にステープル処理をすることが考えられる。一般には、ステープルを表表紙から貫通させ、裏表紙で針先の折り曲げ処理をする。しかし、用紙を排出するときの表裏の方向及び順序を変更してしまうと、左開きの冊子では、図１２のように、ステープル３０が裏表紙から貫通し、表表紙で折り曲げ処理がなされることとなり、冊子の仕上がりの体裁としては必ずしも良いとはいえない。
【００８４】
そこで、原稿の上下又は左右の方向をユーザによって任意に指定可能とし、この指定情報に基づいて当該原稿が右開きであるか左開きであるかを判別した上で、綴じ代部に対する処理を決定することが考えられる。具体的には、原稿の四辺のうちの一辺が、上下左右の何れに相当するか（例えば、原稿の上端が、自動原稿送り部２に載置されたシートのいずれの端部であるか）の情報の入力（指定）を促すメッセージ等を液晶表示パネル４ｂに表示し、制御部１１は、ユーザがパネル操作で指定した情報に基づいて、原稿が右開きであるか左開きであるかを判別する。
【００８５】
例えば、後処理部８が、用紙に対して右上１箇所のみにステープル処理を施し、ステープル３０が用紙の上から貫通する方式であるものとする。この場合に、液晶表示パネル４ｂを介して指定された各情報に基づいて、制御部１１が左開きの原稿であると判別した場合、用紙をその短辺と同一方向に搬送させ、ステープル処理を行う指令を発することにより、図１３に示すように、左開きの冊子として体裁の良い複写物を得ることができる。
【００８６】
即ち、制御部１１は、原稿を構成する各シートの読取順序、各シートにおける各ページのページ順及び原稿の上下の方向に基づいて、当該原稿が右開きか左開きかを判別する。そして、制御部１１は、ステープル処理を施す位置とステープルを貫通させる方向とを決定し、画像形成部５及び後処理部８に対し、それぞれ画像形成、後処理ための指令を発する。
【００８７】
なお、用紙の綴じ代部の位置をユーザによって任意に指定可能とし、制御部１１が、その指定された位置にステープル処理等を施す指令を発するようにしてもよい。例えば、縦書きの文章と横書きの文章が併存する原稿であって、横書き(右開き)に製本されているものについて、ユーザがこれを左開きに製本することを希望する場合も考えられる。
【００８８】
また、原稿の端部に近い部位にまで図や表が記載されている場合、用紙束の綴じ代位置が固定されていると、図や表の一部が、ステープルや糊付けが施された部分に及んでしまい、事実上、その部分を見ることができないことが考えられる。このような場合には、余白の部分に綴じ代部を配置した方が好都合である。
【００８９】
そこで、ユーザが操作表示部４を操作することによって用紙の綴じ代部の位置を任意に指定し、制御部１１が画像形成部５及び後処理部８に対し、指定された位置を綴じ代部として処理するように指令を発するものとすればよい。
【００９０】
以上のように、本実施形態の画像形成装置１によれば、原稿の綴じ代部の位置、ページ番号の大小、原稿の読取開始面について指定された情報又は予め設定された情報に基づいて、読取部３で得られた原稿の画像データをページ毎に分割し、ページ毎に分割された各画像データに対し、ページ番号に相当する識別子を付与し、ページ順に応じて画像形成部５で画像形成を行うようにした。これにより、従来のように、ユーザによる煩雑な手作業を必要とせずに、原稿と実質上同一の複写物を容易に得ることができる。
【００９１】
なお、本実施形態における記述内容は、本発明の趣旨を逸脱しない範囲で適宜変更可能である。
【００９２】
例えば、自動原稿送り部２を有しない画像形成装置であっても、原稿の読取順序が、自動原稿送り部２から送出される場合と同一であれば、本実施形態は適用可能である。
【００９３】
また、本実施形態では、制御部１１の制御プログラム１２が適用される対象は、複写機等の画像形成装置に限定されず、汎用のコンピュータを対象とすることもできる。汎用コンピュータの場合、例えば、ページ毎に枠線や注釈を付加したり、複数の画像データを１つのページに配置したりするなどの応用が可能である。
【図面の簡単な説明】
【００９４】
【図１】本発明の実施形態に係る画像形成装置の概略立断面図である。
【図２】本実施形態に係る画像形成装置の内部の主要部構成を示すブロック図。
【図３】複写対象の中綴じ原稿を示す図。
【図４】図３の中綴じ原稿を構成する各シートを示す図。
【図５】図３の中綴じ原稿を両面複写して得られる用紙束の構成例を示す図。
【図６】自動原稿送り部のトレイに原稿が載置された状態を示す図。
【図７】原稿の綴じ代部の位置を指定するための画面の一例を示す図。
【図８】原稿の読み取り順の一例を示す図。
【図９】本実施形態の画像形成装置において実行される画像形成処理を示すフローチャート。
【図１０】右開き原稿を複写して得られる用紙束において左上をステープルで綴じた図。
【図１１】左開き原稿を複写して得られる用紙束において右下をステープルで綴じた図。
【図１２】ステープルを用紙束の裏表紙から貫通させ、表表紙で折り曲げ処理をした場合の図。
【図１３】左開き原稿を複写して得られる用紙束において右上をステープルで綴じた図。
【符号の説明】
【００９５】
１  画像形成装置
２  自動原稿送り部
３  読取部
４  操作表示部
５  画像形成部
６  給紙トレイ
７  搬送部
８  後処理部
１０  画像処理装置
１１  制御部
１２  制御プログラム
１３  第１記憶部
１４  第２記憶部
４０、４４、４５  綴じ代部
【図１】
2008271105.tif 000003
【図２】
2008271105.tif 000004
【図３】
2008271105.tif 000005
【図４】
2008271105.tif 000006
【図５】
2008271105.tif 000007
【図６】
2008271105.tif 000008
【図７】
2008271105.tif 000009
【図８】
2008271105.tif 000010
【図９】
2008271105.tif 000011
【図１０】
2008271105.tif 000012
【図１１】
2008271105.tif 000013
【図１２】
2008271105.tif 000014
【図１３】
2008271105.tif 000015